(57)【要約】【課題】書籍等の配列自体に変化を与えることで、書籍等を収納する家具等に調和力を与えることができ、また書籍等の配列物に特定の事象を象徴化する情報を写し込み、埋め込むことができるガイド部材を提供すること。【解決手段】ガイド部材１は、ラック等の収納棚２に置かれるものであって、収納棚２の棚板２０等に対して、該部材１の位置付けの基準となる基準面１０と、基準面１０の各両端１１、１１からその基準面１０に対して略直角に延べ出された平行面１２、１２と、これらの平行面１２、１２の各端部１３、１３間に形成されると共に、配列物としてのＣＤケース３の配列付けを行うガイド面１４からなっており、かかるガイド面１４がカーブにより形成されている。【選択図】        図１
2009022507.tif 000002
【特許請求の範囲】
【請求項１】
部材の位置付けの基準となる基準面と、
この基準面の各両端から延べ出され、且つ、カーブが形成されたガイド面を備えたことを特徴とするガイド部材。
【請求項２】
部材の位置付けの基準となる基準面と、
この基準面の各両端から延べ出され、且つ、所定の事象が象徴化されたカーブからなると共に、配列物を押付けることにより配列物に前記カーブを写し代えるガイド面からなることを特徴とするガイド部材。
【請求項３】
部材の位置付けの基準となる基準面と、
この基準面の各両端から延べ出され、且つ、所定の事象が象徴化されたカーブからなると共に、配列物を押付けることにより配列物に前記カーブを写し代えるガイド面からなるガイド部材であって、
前記カーブはガイド面に対面する配列物の配列に写し代えられることを特徴とするガイド部材。
【請求項４】
部材の位置付けの基準となる基準面と、
この基準面の各両端から延べ出され、且つ、所定の事象が象徴化されたカーブからなると共に、配列物を押付けることにより配列物に前記カーブを写し代えるガイド面からなるガイド部材であって、
前記カーブはガイド面に対面しない側の配列物の配列に写し代えられることを特徴とするガイド部材。
【請求項５】
折畳み可能な請求項１乃至４の何れかに記載のガイド部材。
【請求項６】
前記ガイド面は、背板としての所定の厚さを備えていることを特徴とする請求項１乃至４の何れかに記載のガイド部材。
【請求項７】
前記各面は、背板としての所定の厚さを備えていることを特徴とする請求項１乃至４の何れかに記載のガイド部材。
【発明の詳細な説明】
【技術分野】
【０００１】
本発明は、配列物の配列にリズム感を与えることができるガイド部材であって、例えば書籍等を配列する収納棚の背板等に利用されるガイド部材に関するものである。
【背景技術】
【０００２】
書籍やＣＤケース等を棚等に配列する場合、書籍等の背表紙側を棚の縁に合わせて直線状に配列するのが通常である。この配列は、専らに書籍等の背表紙に表示された情報を読取易く、書籍等を出入し易いという機能に着目している。
書籍等のその他の配列方法として、特許文献１に記載されている方法がある。
この配列方法は、水平面に対し平行な棚板に側板を設けた本棚において、盛りあがりのある曲線面により棚板を湾曲させ、この湾曲面に書籍等を並べるものである。
【特許文献１】特開２００２−３５５１３０
【０００３】
かかる配列方法は、上記機能に加えて、湾曲棚板に書籍を並べることで、特に本などの転倒を防止しつつ、本の出入れのしやすさも向上させるという機能を付加させるものであった。
【発明の開示】
【発明が解決しようとする課題】
【０００４】
この特許文献１の配列は、従来の書籍等を直線状に配列する方法と同様に、書籍等の背表紙側を収納棚の縁に合わせたり、書籍等の見開き側を背板に押付けて配列するということに変化は見られない。
しかし、発明者はこのような直線状の配列にカーブを加えて変化を与えると、そのカーブによる変化が収納棚等に調和力を与える等の働きがあることに気がついた。
また、そのカーブの形状に、特定の事象を象徴化させて、その事象を形にして固定化させ、その形を配列物の配列に写し込むことで、事象自体を視認化できることに思い至った。
そこで、本発明は、書籍等の配列自体に変化を与えることで、書籍等を収納する家具等に調和力を与えることができ、また書籍等の配列物に特定の事象を象徴化する情報を写し込み、埋め込むことができるガイド部材を提供することを目的とする。
【課題を解決するための手段】
【０００５】
本発明は、配列物の配列に変化を与えたり、特定の事象が象徴化された形状を写し取らせることができるガイド部材である。
即ち、部材の位置付けの基準となる基準面と、この基準面の各両端から延べ出され、且つ、カーブが形成されたガイド面を備えたことを特徴とするガイド部材とした（請求項１に記載の発明）。
【０００６】
また部材の位置付けの基準となる基準面と、この基準面の各両端から延べ出され、且つ、所定の事象が象徴化されたカーブからなると共に、配列物を押付けることにより配列物に前記カーブを写し代えるガイド面からなることを特徴とするガイド部材とした（請求項２に記載の発明）。
また部材の位置付けの基準となる基準面と、この基準面の各両端から延べ出され、且つ、所定の事象が象徴化されたカーブからなると共に、配列物を押付けることにより配列物に前記カーブを写し代えるガイド面からなるガイド部材であって、前記カーブはガイド面に対面する配列物の配列に写し代えられることを特徴とするガイド部材とした（請求項３に記載の発明）。
【０００７】
また部材の位置付けの基準となる基準面と、この基準面の各両端から延べ出され、且つ、所定の事象が象徴化されたカーブからなると共に、配列物を押付けることにより配列物に前記カーブを写し代えるガイド面からなるガイド部材であって、前記カーブはガイド面に対面しない側の配列物の配列に写し代えられることを特徴とするガイド部材とした（請求項４に記載の発明）。
【０００８】
上記各発明の各ガイド部材は、折畳み可能に構成されている（請求項５に記載の発明）。
【０００９】
上記各発明の前記ガイド面は、背板としての所定の厚さを備えていることを特徴とするガイド部材とした（請求項６に記載の発明）。
【００１０】
上記各発明の前記各面は、背板としての所定の厚さを備えていることを特徴とするガイド部材とした（請求項７に記載の発明）。
【００１１】
本願発明を構成する「カーブ」は、所定の曲率からなり、規則的なカーブ及び／又は不規則なカーブの連続として表現される。
また本願発明を構成する「事象」とは事実の現象をいい、この現象とは観察し確認できるもの等をいう。また「象徴化」されたとは事象が形として略忠実に表現されるか、具象化されたり、ある程度抽象化されて表現されることをいう。これらは概ね規則的なカーブ及び／又は不規則なカーブの連続として表現される。
なお、本願発明を構成する「カーブ」は、特定の事象に拘束されず、その事象から離れた抽象的なものでもよい。
【発明の効果】
【００１２】
本願発明のガイド部材によれば、配列物の配列自体に変化を与えることで、配列物を収納する家具等に調和力を与えることができる。
また配列物に特定の事象を象徴化するカーブを写し込み、埋め込むことができ、その事象が一瞬にして消えてしまうものであったとしても、配列物のカーブ自体が特定の事象を象徴することで、形として視認化、固定化させることができる。
本願発明に適合する「事象」を例示すれば、有名なフィギュアスケーターのエッジが氷盤上に描く軌跡等がある。かかる軌跡の象徴化されたカーブがガイド面に形成され、このカーブが配列物の配列に写し出されると、その配列から有名なフィギュアスケーターの華麗な動作が思い出される。
【発明を実施するための最良の形態】
【００１３】
発明を実施するための形態は、そのガイド面が規則的なカーブ及び／又は不規則なカーブに形成されたガイド部材、またそのガイド面が配列物の配列自体に特定の事象を象徴化するカーブを写し込むことができるガイド部材からなっている。
即ち、図１に示すガイド部材１は、ラック等の収納棚２に置かれるものであって、収納棚２の棚板２０等に対して、該部材１の位置付けの基準となる基準面１０と、基準面１０の各両端１１、１１からその基準面１０に対して略直角に延べ出された平行面１２、１２と、これらの平行面１２、１２の各端部１３、１３間に形成されると共に、配列物としてのＣＤケース３の配列付けを行うガイド面１４からなっており、かかるガイド面１４がカーブにより形成されている。
【００１４】
前記基準面１０は、ラック等の棚板２０の側面と同様に、略直線状に形成されており、該ガイド部材１をラック等に配置する際の基準にすることができる。
この基準面１０の形状は、直線状に限定されるものではなく、該ガイド部材１を配置する際の基準にすることができる形状であればどのような形状でもよい。
【００１５】
前記平行面１２、１２は対向するもので、且つ、ラック等の脇板２１、２１に沿うように形成され、該ガイド部材１をラック等に配置し易いようにされている。よって、前記前記基準面１０と同様に、該ガイド部材１をラック等に配置する際の基準にすることができる。
なお、こられの平行面１２、１２を設けるか否かは任意のものであって、これらの平行面１２、１２を省略して前記基準面１０の各両端１１、１１から、ガイド面１４を形成するようにしてもよい。
【００１６】
前記ガイド面１４は、凸状のカーブ１４０とこれに連続する凹状のカーブ１４１からなっていて、凸状のカーブ１４０はその曲率が大きく、凹状のカーブ１４１はその曲率が小さく形成されている。
【００１７】
これらのカーブは、任意の曲率によって形成してもよく、また特定の事象を象徴化することにより形成してもよい。例えば、これらのカーブは、音楽が記述された五線譜上の音符符頭の流れを象徴化するようなカーブによって形成される。
より具体的には、特定の曲目において特徴ある旋律が記述された譜面の数小節（モチーフ）を形にしたものでもよい。かかるガイド面１４のカーブの形状自体が特定の音楽を暗示させ、且つ、その音楽を形として固定化させることができる。
【００１８】
以上のようなガイド部材１を背板として、多数のＣＤケース３の一端３１（書籍等の見開側に相当する側）を前記ガイド面１４に押付けて並べると、それらのＣＤケース３に前記ガイド面１４のカーブが写し代えられる。即ち、前記ガイド面１４のカーブの形状がガイド面１４に対面しない側のＣＤケース３の背表紙３０側に写し代えられる。
よって、それらのケース３の背表紙３０側がガイド面１４に沿って変化が与えられ、変化後の配列が音楽のモチーフの情報を発信し、そのカーブを見る人の心に音楽のメロデーを暗示することができる。
【００１９】
上記実施形態では、ガイド部材１を背板として用いたが、同ガイド部材１を定規的に用いることもできる。
即ち、図２に示したように、ＣＤケース３等を予め直線状にランダムに収納棚２に配列した後、前記ガイド部材１のガイド面１４をＣＤケース等の背表紙３０に押付ける。そしてガイド部材１をその基準面１０が棚板２０の正面側面に略一致するまで、スライドさせる。
その結果、前記ガイド面１４に対面するＣＤケース３（背表紙３０側）等の配列物の配列に特定のカーブが写し代えられ、図１の場合と同様の作用効果を得ることが出来る。
【００２０】
以上のように構成されたガイド部材１は、金属、合成樹脂、木材、セラミック等からなり、材質により限定されるものではない。
【００２１】
ガイド部材１の各面１０、１２、１４に囲まれた上面１５又／及び下面１６にガイド面１４のカーブの由来を記した銘文を入れてもよい。
例えば、前記カーブが音楽に由来するものであれば、その曲名、作曲者名、楽譜の小節等が銘文とされる。
【００２２】
図３に示したように、前記ガイド部材１の両端部に孔１７を設けてもよい。
これらの孔１７、１７は、例えば前記ガイド部材１を背板として用いる場合に、その配置位置を固定するために使用されるもので、これらの孔１７、１７に対応する棚板２０にも孔を設けて、両孔を貫通するロッド状の部材を差込むことで、ガイド部材１を安定させることができる。
【００２３】
前記ガイド部材１は、１枚のものでもよいし、図４に示したように少なくとも２枚に分割してもよい。さらに分割した各片をヒンジにより結合して折畳めるようにしてもよく、折畳まれたサイズとして、例えばＡ４サイズにする。
このような分割、或いは折畳める構成は、特に図２に示したような前記ガイド部材１を定規的に使用する場合に効果を発揮するもので、配列物の配列にカーブを付けた後のガイド部材１の収納に好都合であり、折畳んだガイド部材１を配列物の一端に加えることができる。
【００２４】
上記実施形態の配列物は、ＣＤケース３であったが、その他、書籍、日本酒の壜、洋酒のボトル等、略同一のサイズ、形状の物を多数に配列する場合にも利用できる。またデパート等の商品陳列棚の陳列される商品、例えばタオルセット等のセット物の配列にも応用することができる。
【００２５】
前記ガイド部材１は、薄いプレート状のものであったが、少なくともガイド面１４を背板としての所定の厚さに形成してもよい。また図５に示したように前記各面１０、１２、１４を背板の所定の厚さを備えるようにしてもよい。これらの場合には、配列物をより安定的に配列することができる。
その他の構成は、上記実施形態と同様であり、同様な作用効果を奏することができる。
【００２６】
上記実施形態に係るガイド部材１は収納棚に配置されたものであったが、図６のような収納棚４に配置してもよい。
該収納棚４は、多段の棚部４０からなり、各棚部４０は棚板４１と脇板４２からなっている。
前記棚板４１の材料は例えば吉野檜等の木材、漆が施された木材、玉鋼、アフリカンエボニー、ガラス、チタン、合成樹脂等を用いる。
また、脇板４２には吉野檜等の木材、強化ガラス、チタン、大理石、玉鋼、ジュラルミン、アフリカンエボニー、ガラス、チタン、合成樹脂等を用いる。
以上のように構成された収納棚４は、各棚部４０が互い違いに配置されてアンバランスであるが、ＣＤケース３等の配列物に背板として前記ガイド部材１を介在させることにより、配列にガイド面１４のカーブが写し込まれることにより、配列物と収納棚４との間に調和が取られるようになっている。
【００２７】
以上のように構成されるガイド部材の作用効果を纏めると、次のようである。
ａ．  ガイド部材１のガイド面１４により配列物の配列にカーブが写し代えられることで、配列物を収容する収納棚等との調和を図ることができる。
ｂ．  ガイド部材１のガイド面１４が特定の事象を象徴化するカーブの場合には、配列物のカーブ自体が特定の事象を暗示し、形として固定化させることができる。
ｃ．  ガイド部材１のガイド面１４が特定の事象を象徴化するカーブの場合には、その事象が一瞬にして消えてしまう、儚いものであっても、配列物のカーブ自体が特定の事象を表現することで、形として視認化、固定化、永久化させることができる。
ｄ．  ガイド部材が折畳める場合には、配列物の配列にカーブを写し代えた後、折畳んだガイド部材１を配列物の一端に加えることができ、また携帯性にも優れている。
ｅ．  ガイド部材１の上面１５又／及び下面１６にガイド面１４のカーブの由来を記した銘文を入れることで、興趣が高められると共に、そのカーブが強く印象付けられる。
ｆ．  ガイド部材が定規タイプの場合には、２種類以上のガイド部材を用意して、任意に配列物の配列に対するカーブ付けを変更することができる。
ｇ．  ガイド部材が背板タイプの場合には、安定的な配列物の配列に対するカーブ付けを行うことができる。
【実施例１】
【００２８】
世界的な出来事をテーマにしたもの
アポロ１５号の宇宙飛行士が月面に残した足跡を略忠実になぞったカーブでカイド面１４を構成する。例えば図８では足跡の長手方向の半分をガイド面に表現している。この場合、ガイド部材１の上面１５又／及び下面１６に、アポロ１５号のアームストロング船長の署名等の銘文、「人類初の月面への第一歩」等のフレーズ、足跡の全体像を示して、その全体像にガイド面の対応部分を示す。
【００２９】
地球温暖化をイメージするため、例えば現在から遡ること約５０年間程度の日本の平均気温の推移をカーブに表現させて、これをガイド面にする。
【実施例２】
【００３０】
歴史をテーマにしたもの
図９は１９５３年７月２７日に締結された朝鮮戦争の休戦協定に基づいて設けられた３８度線の軍事分界線を象徴化してカイド面としたものである。ガイド部材１の上面１５又／及び下面１６に、「南北朝鮮３８度軍事境界線」等のフレーズ、朝鮮半島の図と軍事分界線を示す。
その他、第２次世界大戦の激戦地であった硫黄島において、アメリカ軍が上陸した海岸線を象徴化してカイド面としてもよい。
【実施例３】
【００３１】
美術をテーマにしたもの
図１０は、「ミロのヴィーナス」の彫刻像の輪郭から一部を取り出してそのカーブを略忠実にカイド面に写し出したものである。ガイド部材１の上面１５又／及び下面１６に、「ミロのヴィーナスボディライン」等のフレーズの銘文、その全体像とその全体像にガイド面の対応部分を示す。
【実施例４】
【００３２】
音楽をテーマにしたもの
上述のように特定の曲目において特徴ある旋律が記述された譜面の数小節（モチーフ）をカーブの形にしたものでもよい。
【実施例５】
【００３３】
世界的な構築物をテーマにしたもの
例えば中国の万里の長城の所定区域の連なりを象徴化したカーブをカイド面として表現したのでもよい。
著名なカーレース等が行われるレース場のカーブを象徴化してカイド面としてもよい。
【実施例６】
【００３４】
自然をテーマにしたもの
世界的に著名な山の稜線、日本において著名な山の稜線の連なり象徴化したカイド面を示したのでもよい。
世界的に著名な川の蛇行、日本において著名な川の蛇行を象徴化したカイド面を示したのでもよい。
【実施例７】
【００３５】
スポーツをテーマにしたもの
カール・ルイスが１９８４年のロサンゼルスオリンピックでの走り幅跳びの軌跡によるカーブを略忠実に取出してカイド面としてもよい。
【００３６】
王貞治が１９７７年９月３日に打った通算７５５号のホームランの打球の軌跡によるカーブをカイド面としてもよい。
【００３７】
長野オリンピックでの団体ジャンプにおいて原田選手の最長不倒となった１３７メートルの大ジャンプの飛行軌跡をカイド面としてもよい。
【００３８】
シドニーオリンピックでのマラソン競技において高橋尚子選手のテープカットの際にそのテープが描くカーブを象徴化してカイド面としてもよい。
【図面の簡単な説明】
【００３９】
【図１】ガイド部材を用いた収納棚の斜視図、
【図２】定規タイプのガイド部材を用いた収納棚の斜視図、
【図３】ガイド部材の平面図、
【図４】ガイド部材を分割した場合の平面図、
【図５】背板タイプのガイド部材の斜視図、
【図６】ガイド部材を用いた収納棚の斜視図、
【図７】ガイド部材を用いた収納棚の斜視図、
【図８】世界的な出来事をテーマにしたガイド部材の平面図、
【図９】歴史をテーマにしたガイド部材の平面図、
【図１０】美術をテーマにしたガイド部材の平面図。
【符号の説明】
【００４０】
１  ガイド部材                          ２  収納棚
２０  棚板                              １０  基準面
１１、１１  両端                        １２、１２  平行面
１３、１３  端部                        ３  ＣＤケース
１４  ガイド面                          １４０  凸状のカーブ
１４１  凹状のカーブ                    ３０  背表紙
１５  上面                              １６  下面
１７、１７  孔                          ４  収納棚
４０  多段の棚部                        ４１  棚板
４２  脇板
【図１】
2009022507.tif 000003
【図２】
2009022507.tif 000004
【図３】
2009022507.tif 000005
【図４】
2009022507.tif 000006
【図５】
2009022507.tif 000007
【図６】
2009022507.tif 000008
【図７】
2009022507.tif 000009
【図８】
2009022507.tif 000010
【図９】
2009022507.tif 000011
【図１０】
2009022507.tif 000012